(57)【要約】      （修正有）【課題】露出線部が圧縮されるときにばね組立体の上下に突出している露出線部と周囲の線部の摩擦により発生する不快音を防止することができる摩擦音防止用の手段を有し、露出線部の弾性を著しく増大できる手段を有するベッドマットレス用のコイルばねを提供する。【解決手段】本体ばねと共に動作して外部荷重を吸収する。上部露出線部１６の巻部１６‐５と下部露出線部の巻部の少なくとも一つが圧縮されながら上方および下方に移動する空間を画定するように上部端線部１４と下部端線部１４’の少なくとも一つに間隙が設けられる。上部端線部と上部露出線部１６の巻部１６‐５との摩擦音および下部端線部と下部露出線部の巻部との摩擦音が根本的に防止され、上部露出線部１６と下部露出線部の弾性は増加する。線部が横方向に変位または変形することなく上方および下方にのみ移動し、それによって寿命を向上させている。【選択図】図２
2015062672.tif 000002
【特許請求の範囲】
【請求項１】
上部縁部材と下部縁部材との間の空間に配置された本体線部と、
前記本体線部の両端に夫々設けられ、前記上部縁部材と前記下部縁部材が配置される領域に設定される上部端および下部端線部と、
前記上部端線部から上方に延在して前記上部縁部材から露出した上部露出線部および／または前記下部端線部から下方に延在して前記下部縁部材から露出した下部露出線部と、を備え、
前記上部露出線部の巻部および／または前記下部露出線部の巻部が互いに接触せずに圧縮されるように夫々の直径が減じられ、
前記上部端および前記下部端線部が前記上部および／または前記下部露出線部から間隙（Ａ）だけ離れた内径を夫々有し、それによって後者が前者と接触せずに圧縮され、
それによって前記上部端および／または前記下部端線部と前記上部および／または前記下部露出線部との間の摩擦音が防止されることを特徴とするベッドマットレス用の高引張りコイルばね。
【請求項２】
前記上部端および前記下部端線部が、前記本体線部の前記巻部の外径より大きい内径を夫々有する、請求項１に記載のベッドマットレス用の高引張りコイルばね。
【請求項３】
前記上部端および前記下部端線部が、前記本体線部の前記巻部の前記外径以下の内径を夫々有する、請求項１に記載のベッドマットレス用の高引張りコイルばね。
【請求項４】
前記コイルばねがオフセットコイルばねを備える、請求項１に記載のベッドマットレス用の高引張りコイルばね。
【請求項５】
前記コイルばねが円形コイルばねを備える、請求項１に記載のベッドマットレス用の高引張りコイルばね。
【請求項６】
前記コイルばねが円形オフセットコイルばねを備える、請求項１に記載のベッドマットレス用の高引張りコイルばね。
【請求項７】
前記間隙（Ａ）が、前記上部および／または前記下部露出線部の上部および／または下部巻部の形状に一致して形成される、請求項１に記載のベッドマットレス用の高引張りコイルばね。
【請求項８】
前記間隙（Ａ）が前記上部端および／または前記下部端線部の形状に一致して形成される、請求項１に記載のベッドマットレス用の高引張りコイルばね。
【請求項９】
前記上部および前記下部露出線部夫々の巻数が３巻〜６巻の範囲にある、請求項１に記載のベッドマットレス用の高引張りコイルばね。
【発明の詳細な説明】
【技術分野】
【０００１】
本出願は、あらゆる目的のために参照により本明細書に援用される、２０１３年９月３０日に出願された韓国特許出願第１０‐２０１３‐１１６０００号の優先権と、２０１３年９月２５日に出願された韓国特許出願第１０‐２０１３‐１１３９９１号の優先権を主張する。
【０００２】
本発明は、コイルばねに成形され、本体ばねと共に動作して外部荷重を吸収する露出線部を有するベッドマットレス用の高引張りコイルばね（high tension coil spring）に関し、より詳しくは、露出線部が圧縮されるときに露出線部と周囲の線部の摩擦により発生する摩擦音を防止することができ、且つ露出線部の弾性を著しく増大させることができる摩擦音防止手段を有するベッドマットレス用の高引張りコイルばねに関する。
【背景技術】
【０００３】
一般に、ベッドマットレスは、ばね組立体の上部表面と下部表面に夫々積み重ねられたクッション部材を使用してクッション効果または緩衝効果を提供する寝具である。ばね組立体は、ベッドマットレスの上部フレームと下部フレームとの間に設けられ、行方向と列方向に予め設定された間隔で規則正しく配置された複数のコイルばねを備えている。
【０００４】
また、「露出線ばね」はベッドマットレスのクッション効果または緩衝効果を強化する手段として開発され、使用されている。露出線ばねは、上部縁部材と下部縁部材との間に上部‐底部方向に配置されるコイルばねを備え、コイルばねが露出するように上部縁部材の上方に予め設定された高さで突出している。
【０００５】
例えば、図１Ａに示すように、バネ組立体１は、上部縁部材２０および下部縁部材２０’と、上部縁部材２０と下部縁部材２０’との間の空間に行方向Ｒおよび列方向Ｃに配列されたコイルばね１０と、列方向Ｒに螺旋状に延在してコイルばね１０と係合する螺旋コイル３０と、を備えている。
【０００６】
また、図１Ｂに示すように、各コイルばね１０は、上部縁部材２０と下部縁部材２０’との間の空間に位置する本体線部１２と、上部縁部材２０および下部縁部材２０’と係合するように本体線部１２の両端部に設けられた端線部１４および端線部１４’と、縁部材２０および縁部材２０’の一方または両方から露出するように端線部１４から延在する１つまたは両方の露出線部１６を備えている。
【０００７】
ここで、ばね組立体１を設定するとき、縁部材２０と縁部材２０’との間にコイルばね１０が予め設定された間隔で配置された状態でコイルばね１０が螺旋コイル３０と係合し、露出線部１６が上部縁部材２０の上方および／または下部縁部材２０’の下方に突出して設定される。
【０００８】
また、ばね組立体１がベッドマットレスに適用され、例えばマットレス使用者の寝返りによって小荷重が加えられたとき、その衝撃を露出線部１６が吸収し、マットレス使用者が大荷重を加えたとき、その衝撃を本体線部１２が吸収する。
【０００９】
ベッドマットレスに加えられる荷重の変化に応じて露出線部１６と本体線部１２が衝撃吸収機能を適切に配分するので、コイルばね１０が使用者の快適さと利便性を好都合に向上している。しかしながら、コイルばね１２は少なくとも下記の問題を有している。
【００１０】
１番目として、図２に示すように、荷重を受けてベッドマットレスが圧縮され、露出線部１６の接触線部１６‐５が下降するとき、少なくとも１つのコイルばね１０が下方に位置する端線部１４に当接する。これが結果的に露出線部１６と端線部１４の摩擦による不快音（noise）を発生する。
【００１１】
２番目として、ベッドマットレスに大荷重が加えられたとき、ばね組立体の露出線部１６が圧縮され、同時に本体線部１２が高速度で圧縮される。露出線部１６の急速な圧縮が露出線部１６と端線部１４の摩擦を増大し、それによって摩擦音が発生する。
【００１２】
３番目として、ベッドマットレスに荷重が加えられたとき、露出線部が圧縮されながら端線部に接触し、それによって露出線部の弾性が制限される。したがって、ベッドマットレスの使用時の露出線部１６と端線部１４との摩擦音によるストレスを防止でき、且つ露出線部の弾性を高めてコイルばねの寿命を向上できる解決法が緊急に必要とされている。
【００１３】
図３Ａに示すように、本願出願人は先に発明したコイルばねの手法を提案している（韓国特許第１０‐０７１７５４３号、米国特許第７，６７７，５４１Ｂ２号）。本コイルばねは本体バネ１０と露出線バネ２０を備え、露出線バネ２０を本体バネ１０と接続する接続端部２４に接触防止端部３０が設けられている。
【００１４】
図３Ａに示されたコイルばねが接触防止端部３０を使用して本体バネ１０と露出線バネ２０の摩擦音をある程度防止するが、図５Ａ、図５Ｂ、図７Ａ、図７Ｂ、図９Ａおよび図９Ｂに示すように、上部端線部１４／下部端線部１４’と上部露出線部１６／下部露出線部１６’の上部巻部１６‐５／下部巻部１６‐５’との摩擦音を根本的に防止する構造が開示されていないため、コイルばねは完全に摩擦音を防止することができない。図５Ａ、図５Ｂ、図７Ａ、図７Ｂ、図９Ａおよび図９Ｂに示された構造は、上部／下部端線部１４および１４’と上部／下部露出線部１６および１６’の上部／下部巻部１６‐５および１６‐５’が接触せずに上方および下方に移動できる空間を提供し、それによって根本的に不快音を防止している。
【００１５】
また、図３Ａに示されたコイルばねは摩擦音を防止するための接触防止端部３０に焦点が置かれているが、露出線バネ２０の巻数が少ないため、露出線バネ２０の上方および下方に移動するための弾性量が制限されるという欠点がある。
【００１６】
さらに、図３Ｂに示すように、本願出願人は先に発明したコイルばねの他の解決法を提案している（韓国特許第１０‐０７１７５３５号、米国特許第８，１０９，４９０号）。本コイルばねは本体バネ１０と露出線バネ２０を備え、露出線バネ２０を本体バネ１０と接続する接続端部２４に接触防止／剛性補強端部３０および３２が設けられ、それによって本体バネ１０と露出線バネ２０の摩擦音を防止している。
【００１７】
図３Ｂに示されたコイルばねは接触防止／剛性補強端部３０および３２を使用して本体バネ１０と露出線バネ２０の摩擦音をある程度防止するが、図５Ａ、図５Ｂ、図７Ａ、図７Ｂ、図９Ａおよび図９Ｂに示されるように、上部／下部端線部１４および１４’と上部／下部露出線部１６および１６’の上部／下部巻部１６‐５および１６‐５’との間の摩擦音を根本的に防止する構造が開示されていないので、コイルばねが完全に摩擦音を防止することはできない。一方、図５Ａ、図５Ｂ、図７Ａ、図７Ｂ、図９Ａおよび図９Ｂに示された構造には、上部／下部端線部１４および１４’と上部／下部露出線部１６および１６’の上部／下部巻部１６‐５および１６‐５’とが接触せずに上方および下方に移動できる空間があり、それによって摩擦音を根本的に防止している。
【００１８】
また、図３Ｂに示されたコイルばねは摩擦音を防止するための接触防止端部３０に焦点が置かれているが、露出線バネ２０の巻数が少ないため、露出線バネ２０の上方および下方への移動に伴う弾性量が制限されるという欠点がある。
【００１９】
この背景技術の欄に記載した技術情報は、本発明の背景をより良く理解するためだけに提供されたものであり、本情報を当業者の既知の従来技術として認めたものではなく、如何なる形態の示唆としても解釈されるべきではない。
【先行技術文献】
【特許文献】
【００２０】
【特許文献１】韓国特許第１０‐０７１７５４３号（米国特許第７，６７７，５４１号）
【特許文献２】韓国特許第１０‐０７１７５３５号（米国特許第８，１０９，４９０号）
【発明の概要】
【発明が解決しようとする課題】
【００２１】
本発明の様々な態様は、露出線部が圧縮されるときにばね組立体の上下に突出している露出線部と周囲の線部の摩擦により発生する不快音を防止することができる摩擦音防止用の手段を有し、露出線部の弾性を著しく増大できる手段を有するベッドマットレス用のコイルばねを提供する。
【００２２】
本発明の一形態のベッドマットレス用の高引張りコイルばねが、マットレスフレームの上部縁部材と下部縁部材との間の空間に配置された本体線部と、前記本体線部の両端に夫々設けられ、前記上部縁部材と前記下部縁部材が配置される領域に設定される上部端および下部端線部と、前記上部端線部から上方に延在して前記上部縁部材から露出した上部露出線部および／または前記下部端線部から下方に延在して前記下部縁部材から露出した下部露出線部と、を備えている。
【００２３】
ベッドマットレス用の高引張りコイルばねは、前記上部露出線部の巻部および／または前記下部露出線部の巻部が互いに接触せずに圧縮されるように夫々の直径が減じられることを特徴とする。
【００２４】
前記上部端および前記下部端線部が前記上部および／または前記下部露出線部から間隙（Ａ）だけ離れた内径を夫々有し、それによって後者が前者と接触せずに圧縮される。
【００２５】
また、それによって前記上部端および／または前記下部端線部と前記上部および／または前記下部露出線部との間の摩擦音が防止される。
【００２６】
また、本発明の他の形態のベッドマットレス用の高引張りコイルばねにおいて、前記上部端および前記下部端線部が、前記本体線部の前記巻部の外径より大きい内径を夫々有する。
【００２７】
また、本発明の他の形態のベッドマットレス用の高引張りコイルばねにおいて、前記上部端および前記下部端線部が、前記本体線部の前記巻部の前記外径以下の内径を夫々有する。
【００２８】
この構成により、本発明は下記効果を有する。
【００２９】
１番目として、露出線部が上方および下方に移動する経路を形成する間隙をコイルばねが備えることにより、露出線部が圧縮されるとき、露出線部と端線部の接触により発生する摩擦を防止することが可能であり、それによって不快音を根本的に防止している。
【００３０】
２番目として、露出線部が上方および下方に移動する経路を形成する間隙をコイルばねが備えることにより、露出線部と本体線部が横方向に変位または変形することなく上方および下方にのみ移動し、それによって寿命を向上させている。
【００３１】
３番目として、露出線部とコイルばねの端線部の摩擦音が根本的に防止される状態において、本体線部から独立したばね層を形成するように露出線部が複数巻きになっている。その結果として、ベッドマットレスに加えられた小および大荷重が区別され、適切な量の緩衝効果が提供され、同時に上部および下部露出線部の弾性が強化され、製品の品質を向上させる。
【００３２】
４番目として、コイルばねの摩擦音を防止する手段として韓国特許第１０‐０４４４３４７号、米国特許第６，９８３，５０３号で提案された、露出線部を発泡体で覆う（foaming）プロセスが不必要になる。露出線部を封止する装置と封止工程の排除が可能になるとともに、設備の購入価格と工程に要するコストを削減でき、生産性が向上する。
【００３３】
５番目として、上部および下部露出線部（１６、１６’）の巻数が夫々３〜６巻の範囲にあるので、コイルばねの弾性が強化され、それによって製品の品質が向上する。
【００３４】
本発明の方法および装置は、本明細書に組み込まれた添付図面に記載され、明らかになる他の特徴および利点を有し、図面は下記本発明の詳細な説明において本発明の具体的動作原理の説明に供される。
【図面の簡単な説明】
【００３５】
【図１Ａ】図１Ａは、組み立てられた状態の関連技術のばね組立体の斜視図である。
【図１Ｂ】図１Ｂは、組み立てられた状態の関連技術のばね組立体の断面図である。
【図２】図２は、関連技術のコイルばねからの不快音発生を説明する断面図である。
【図３Ａ】図３Ａは、出願人が以前に発明した、摩擦音を防止するコイルばねを示す断面図である。
【図３Ｂ】図３Ｂは、出願人が以前に発明した、摩擦音を防止するコイルばねを示す断面図である。
【図４Ａ】図４Ａは、本発明のばね組立体の係合状態を示す断面図である。
【図４Ｂ】図４Ｂは、本発明のばね組立体の係合状態を示す斜視図である。
【図４Ｃ】図４Ｃは、本発明のばね組立体の係合状態を示す斜視図である。
【図４Ｄ】図４Ｄは、本発明のばね組立体の係合状態を示す斜視図である。
【図５Ａ】図５Ａは、上部端および下部端線部の各内径が本体線部の巻部の外径より大きく、且つ上部端および下部端線部が円形コイルばね（round coil spring）の形を有する本発明のコイルばねにおいて、上部露出線部が圧縮されるプロセスの第１の概念を示す断面図である。
【図５Ｂ】図５Ｂは、上部端および下部端線部が本体線部の巻部の外径より大きい内径を有し、上部端および下部端線部が円形コイルばねの形を有するコイルばねにおいて、このコイルばねの上部露出線部が圧縮されるプロセスの第１の概念を示す斜視図である。
【図６Ａ】図６Ａは、上部端および下部端線部が円形コイルばねの形を有する、本発明の第１〜第３の実施の形態のコイルばねの断面図である。
【図６Ｂ】図６Ｂは、上部端および下部端線部が円形コイルばねの形を有する、本発明の第１〜第３の実施の形態のコイルばねの斜視図である。
【図７Ａ】図７Ａは、本発明のコイルばねの上部露出線部が圧縮されるプロセスの第２の概念を示す断面図である。
【図７Ｂ】図７Ｂは、本発明のコイルばねの上部露出線部が圧縮されるプロセスの第２の概念を示す斜視図である。
【図８Ａ】図８Ａは、上部端および下部端線部がオフセットコイルばね（offset coil spring）の形を有する本発明のコイルばねにおいて、このコイルばねの上部露出線部が圧縮されるプロセスの第３の概念を示す断面図である。
【図８Ｂ】図８Ｂは、上部端および下部端線部がオフセットコイルばねの形を有する本発明のコイルばねにおいて、このコイルばねの上部露出線部が圧縮されるプロセスの第３の概念を示す斜視図である。
【図９Ａ】図９Ａは、上部端および下部端線部が円形オフセットコイルばね（round-offset coil spring）の形を有する本発明のコイルばねの上部露出線部が圧縮されるプロセスの第３の概念を示す断面図である。
【図９Ｂ】図９Ｂは、本発明のコイルばねの上部露出線部が圧縮されるプロセスの第３の概念を示す斜視図である。
【図１０Ａ】図１０Ａは、上部端および下部端線部が円形オフセットコイルばねの形を有する、本発明の第７〜９の実施の形態のコイルばねの断面図である。
【図１０Ｂ】図１０Ｂは、上部端および下部端線部が円形オフセットコイルばねの形を有する、本発明の第７〜９の実施の形態のコイルばねの斜視図である。
【図１１】図１１は、円形コイルばね、オフセットコイルばね、および円形オフセットコイルばねとして実現され、上部端および下部端線部の各コイル端が線形自由端Ｂを形成した、本発明のコイルばねを示す斜視図である。
【図１２Ａ】図１２Ａは、拘束部Ｃを有し、露出線部の巻数が４巻の本発明のコイルばねの斜視図である。
【図１２Ｂ】図１２Ｂは、拘束部Ｃを有し、露出線部の巻数が５巻の本発明のコイルばねの斜視図である。
【図１２Ｃ】図１２Ｃは、拘束部Ｃを有し、露出線部の巻数が６巻の本発明のコイルばねの斜視図である。
【図１３】図１３は、上部端および下部端線部が夫々本体線部の巻部の外径以下の内径を有し、上部端および下部端線部が円形ばねの形を有する本発明のコイルばねが圧縮されるプロセスを示す断面図である。
【発明を実施するための形態】
【００３６】
以下、本発明の多様な実施の形態が例示された添付図面を参照し、本発明の実施の形態を詳細に説明する。
【００３７】
図４Ａ〜図１３に示すように、本発明の実施の形態のベッドマットレス用の高引張りコイルばねは、マットレスフレームの上部縁部材２０と下部縁部材２０’との間の空間に配置された本体線部１２と、本体線部１２の両端に夫々設けられ、上部縁部材２０と下部縁部材２０’が配置される領域に設定される上部端線部１４および下部端線部１４’と、上部端線部１４から上方に延在して上部縁部材２０から露出した上部露出線部１６および／または下部端線部１４’から下方に延在して下部縁部材２０’から露出した下部露出線部１６と、を備えている。
【００３８】
上部露出線部の巻部および／または下部露出線部の巻部が互いに接触せずに圧縮されるように夫々の直径が減少し、上部端線部および下部端線部が上部露出線部および／または下部露出線部から間隙（Ａ）だけ離れた内径を夫々有し、それによって後者が前者と接触せずに圧縮され、それによって上部端線部１４および／または下部端線部１４’と上部露出線部１６および／または下部露出線部１６’との間の摩擦音が防止される。
【００３９】
ここで、上部縁部材２０および下部縁部材２０’や螺旋コイル３０は関連技術分野においてよく知られている。
【００４０】
図９Ａ〜図１３に示された参照番号「Ｄ」は、上部端線部１４と下部端線部１４’の少なくとも１つに内径が増大するように形成された凸部を示している。上部端線部１４と下部端線部１４’の少なくとも１つが１つまたは２つの凸部Ｄを備えることは好ましい。
【００４１】
また、上部端線部１４と下部端線部１４’の形状およびそれらの構造に応じて、コイルばね１０は図５Ａ、５Ｂ、６Ａおよび６Ｂに示すように円形コイルばねとして、図７Ａ、７Ｂ、８Ａおよび８Ｂに示すようにオフセットコイルばねとして、または図９Ａ、９Ｂ、１０Ａおよび１０Ｂに示すように円形オフセットコイルばねとして実現できる。
【００４２】
また、コイルばね１０を円形コイルばねとするとき、上部露出線部１６を図６Ａの（ａ）で示すように構成することができ、下部露出線部１６’を図６Ａの（ｂ）で示すように構成することができ、または上部露出線部１６と下部露出線部１６’の両方を図６Ａの（ｃ）で示すように構成することができる。
【００４３】
さらに、コイルばね１０をオフセットコイルばねとするとき、上部露出線部１６を図８Ａの（ａ）で示すように構成することができ、下部露出線部１６’を図８Ａの（ｂ）で示すように構成することができ、または上部露出線部１６と下部露出線部１６’の両方を図８Ａの（ｃ）で示すように構成することができる。
【００４４】
また、コイルばね１０を円形オフセットコイルばねとするとき、上部露出線部１６を図１０Ａの（ａ）で示すように構成することができ、下部露出線部１６’を図１０Ａの（ｂ）で示すように構成することができ、または上部露出線部１６と下部露出線部１６’の両方を図１０Ａの（ｃ）で示すように構成することができる。
【００４５】
また、図１１の（ａ）で示すように、円形コイルばねにおいて下部端線部および／または上部端線部のコイル端が線部と係合せずに開放された線形自由端Ｂを形成してもよい。図１１の（ｂ）で示すように、オフセットコイルばねにおいて下部端線部および／または上部端線部のコイル端が線部と係合せずに開放された線形自由端Ｂを形成してもよい。図１１の（ｃ）で示すように、円形オフセットコイルばねにおいて下部端線部および／または上部端線部のコイル端が線部と係合せずに開放された線形自由端Ｂを形成してもよい。
【００４６】
また、図１２Ａに示すように、拘束部Ｃと露出線部の巻数が４巻の露出線部を、円形コイルばね、オフセットコイルばね、および円形オフセットコイルばねに形成してもよい。図１２Ｂに示すように、拘束部Ｃと露出線部の巻数が５巻の露出線部を、円形コイルばね、オフセットコイルばね、および円形オフセットコイルばねに形成してもよい。図１２Ｃに示すように、拘束部Ｃと露出線部の巻数が６巻の露出線部を、円形コイルばね、オフセットコイルばね、および円形オフセットコイルばねに形成してもよい。
【００４７】
間隙Ａは、円形コイルばね、オフセットコイルばね、および円形オフセットコイルばねの代わりに、ベッドマットレス分野で使用されるあらゆる種類のコイルばね１０に適用することができ、この構造はもちろん本発明の範囲に属している。
【００４８】
また、コイルばね１０は、本体線部１２、上部端線部１４と下部端線部１４’、上部露出線部１６と下部露出線部１６’を備えている。具体的には、間隙Ａが上部端線部１４と下部端線部１４’の少なくとも１つに設けられている。
【００４９】
本体線部１２はコイルばね１０の本体を形成する線部を指しており、コイルばね１０に加えられた全荷重を支持する。本体線部１２は、マットレスフレームの上部縁部材２０と下部縁部材２０’との間の空間に垂直方向に挿入され、マットレス使用者の重量を吸収する。本体線部１２は太鼓形を含む様々な形を取ることができる。
【００５０】
また、上部端線部１４と下部端線部１４’は本体線部１２の上部端部と下部端部に水平方向に延在するように夫々形成された線部を指し、上部縁部材２０と下部縁部材２０’が配置された領域内に設けられる。上部端線部１４と下部端線部１４’は上部縁部材２０と下部縁部材２０’に夫々突き合わせられ、固定ピンまたは螺旋コイルを使用して固定される。
【００５１】
ここで、上部端線部１４と下部端線部１４’は、上部露出線部１６と下部露出線部１６’の傾斜角度に応じて、水平状態とは異なる傾斜角度で形成することができる。もちろん、この構造も本発明の範囲に属している。
【００５２】
上部端線部１４と下部端線部１４’は僅かに傾斜した角度で形成されているが、上部縁部材２０と下部縁部材２０’に突き合わせられ、螺旋コイルまたは固定ピン３０で係合されて、上部端線部１４と下部端線部１４’を水平にすることができる。
【００５３】
また、上部露出線部１６と下部露出線部１６’は上部端線部１４と下部端線部１４’の少なくとも１つから延在する線部を指し、本体線部１２と連係してベッドマットレスに加えられた荷重を吸収する。上部露出線部１６と下部露出線部１６’は、直径が本体線部１２の直径より小さくなるように巻かれている。
【００５４】
本体線部１２は、ベッドマットレスに加えられた大荷重に反応して衝撃を吸収し、一方、上部露出線部１６と下部露出線部１６’は、ベッドマットレスに加えられた小荷重に反応して衝撃を吸収する。
【００５５】
ここで、上部露出線部１６と下部露出線部１６’に形成された上部巻部１６‐５と下部巻部１６‐５’は、上部端線部１４と下部端線部１４’の近傍に配置された上部露出線部１６と下部露出線部１６’の一部を指している。
【００５６】
上部露出線部１６と下部露出線部１６’の巻数は、コイルばね１０が高引張り力を発揮するために３巻〜６巻が好ましいが、巻数が３巻未満または６巻を超えても本発明の範囲に属している。
【００５７】
間隙Ａは、上部端線部１４と下部端線部１４’の内径を大きくするようにして構成され、それによって上部露出線部１６と下部露出線部１６’の上部巻部１５‐５と下部巻部１６‐５’がそこを通って上方および下方に移動できる空間を画定している。上部端線部１４と下部端線部１４’の内径を上部露出線部１６と下部露出線部１６’の上部巻部１６‐５と下部巻部１６‐５’の外径より大きくなるように拡大して、間隙Ａを設けることが好ましい。
【００５８】
また、上部端線部１４と下部端線部１４’の配線は、間隙（Ａ）が形成されるプロセスでは水平面に対して予め設定された角度で傾斜するように形成できる。その結果として、上部端線部１４と下部端線部１４’が上部露出線部１６と下部露出線部１６’の上部巻部１６‐５と下部巻部１６‐５’と接触せず、摩擦音を防止する。この構造も本発明の範囲に属している。
【００５９】
さらに、間隙Ａの形状が上部端線部１４および下部端線部１４’の形状に一致することが好ましいが、間隙Ａはコイルばね１０の構造特性を考慮して円形コイルばね、オフセットコイルばね、または円形オフセットコイルばねの形状を有することができる。
【００６０】
次に、図５Ａおよび図５Ｂを参照して本発明の動作について説明する。
【００６１】
最初に、ばね組立体１の組立プロセスと、ばね組立体１が適用されたベッドマットレスの組立プロセスは関連技術分野においてよく知られているため、その説明を省略し、以下にはコイルばね１０の衝撃吸収構造に限定して記述する。
【００６２】
具体的には、本発明の構造を有するコイルばね１０がベッドマットレスに適用されたことを想定してその動作構造を記述する。
【００６３】
図５Ａおよび図５Ｂの（ａ）に示すように、コイルばね１０が適用されたベッドマットレスに負荷が加えられない場合、上部露出線部１６は上部縁部材２０の上方に突出しその位置にとどまるように設定されている。
【００６４】
一方、図５Ａおよび図５Ｂの（ｂ）に示すように、コイルばね１０が適用されたベッドマットレスが使用者から小荷重を受けたとき、上部露出線部１６は圧縮荷重に相当する分下方に押され、それによって圧縮荷重を吸収する。
【００６５】
特に、図５Ａおよび図５Ｂの（ｃ）に示すように、コイルばね１０が適用されたベッドマットレスが使用者から大荷重を受けたとき、上部露出線部１６の上部巻部１６‐５が間隙Ａを通って下方に移動し、それによって圧縮荷重を吸収する。
【００６６】
また、図５Ａおよび図５Ｂの（ｄ）および（ｅ）に示すように、コイルばね１０が適用されたベッドマットレスがより大きい荷重を受けたとき、上部露出線部１６の上部巻部１６‐５が間隙Ａを通って更に下方に移動し、上部露出線部１６が上方および下方に移動する範囲が最大化され、それによって衝撃吸収効率を最大化している。
【００６７】
間隙Ａの上部端線部１４が上部露出線部１６の上部巻部１６‐５が上方および下方に移動できる空間が画定されるので、上部露出線部１６の上部巻部１６‐５が上方および下方に移動するとき、上部端線部１４と接触しない。
【００６８】
したがって、コイルばね１０が適用されたベッドマットレスに強い荷重が加えられたとき、上部端線部１４の間隙Ａが上部端線部１４とコイルばね１０の他の部分との摩擦音を防止し、露出線部１６および露出線部１６’の弾性を増大し、それによって製品の寿命を伸ばし、製品の品質を向上させている。
【００６９】
本発明の特定の例示的実施形態についての以上の記述は、添付図面を参照して説明する目的のためになされたものである。ここに添付された請求項およびそれらの均等物によって定義される本発明の範囲を逸脱することなく、様々な改良および変更が可能であることは当業者であれば理解できることである。
【図１Ａ】
2015062672.tif 000003
【図１Ｂ】
2015062672.tif 000004
【図２】
2015062672.tif 000005
【図３Ａ】
2015062672.tif 000006
【図３Ｂ】
2015062672.tif 000007
【図４Ａ】
2015062672.tif 000008
【図４Ｂ】
2015062672.tif 000009
【図４Ｃ】
2015062672.tif 000010
【図４Ｄ】
2015062672.tif 000011
【図５Ａ】
2015062672.tif 000012
【図５Ｂ】
2015062672.tif 000013
【図６Ａ】
2015062672.tif 000014
【図６Ｂ】
2015062672.tif 000015
【図７Ａ】
2015062672.tif 000016
【図７Ｂ】
2015062672.tif 000017
【図８Ａ】
2015062672.tif 000018
【図８Ｂ】
2015062672.tif 000019
【図９Ａ】
2015062672.tif 000020
【図９Ｂ】
2015062672.tif 000021
【図１０Ａ】
2015062672.tif 000022
【図１０Ｂ】
2015062672.tif 000023
【図１１】
2015062672.tif 000024
【図１２Ａ】
2015062672.tif 000025
【図１２Ｂ】
2015062672.tif 000026
【図１２Ｃ】
2015062672.tif 000027
【図１３】
2015062672.tif 000028
【外国語明細書】
2015062672.tif 000029
2015062672.tif 000030
2015062672.tif 000031
2015062672.tif 000032
2015062672.tif 000033
2015062672.tif 000034
2015062672.tif 000035
2015062672.tif 000036
2015062672.tif 000037
2015062672.tif 000038
2015062672.tif 000039
2015062672.tif 000040
2015062672.tif 000041
2015062672.tif 000042
2015062672.tif 000043
2015062672.tif 000044
2015062672.tif 000045
2015062672.tif 000046
2015062672.tif 000047
2015062672.tif 000048
2015062672.tif 000049
2015062672.tif 000050
2015062672.tif 000051
2015062672.tif 000052
2015062672.tif 000053
2015062672.tif 000054
2015062672.tif 000055
2015062672.tif 000056
【図１Ａ】
2015062672.tif 000057
【図１Ｂ】
2015062672.tif 000058
【図２】
2015062672.tif 000059
【図３Ａ】
2015062672.tif 000060
【図３Ｂ】
2015062672.tif 000061
【図４Ａ】
2015062672.tif 000062
【図４Ｂ】
2015062672.tif 000063
【図４Ｃ】
2015062672.tif 000064
【図４Ｄ】
2015062672.tif 000065
【図５Ａ】
2015062672.tif 000066
【図５Ｂ】
2015062672.tif 000067
【図６Ａ】
2015062672.tif 000068
【図６Ｂ】
2015062672.tif 000069
【図７Ａ】
2015062672.tif 000070
【図７Ｂ】
2015062672.tif 000071
【図８Ａ】
2015062672.tif 000072
【図８Ｂ】
2015062672.tif 000073
【図９Ａ】
2015062672.tif 000074
【図９Ｂ】
2015062672.tif 000075
【図１０Ａ】
2015062672.tif 000076
【図１０Ｂ】
2015062672.tif 000077
【図１１】
2015062672.tif 000078
【図１２Ａ】
2015062672.tif 000079
【図１２Ｂ】
2015062672.tif 000080
【図１２Ｃ】
2015062672.tif 000081
【図１３】
2015062672.tif 000082